【手続補正書】
【提出日】平成15年7月23日(2003.7.23)
【手続補正１】
【補正対象書類名】明細書
【補正対象項目名】特許請求の範囲
【補正方法】変更
【補正の内容】
【特許請求の範囲】
【請求項１】
構成部品のうちの少なくとも一つが、少なくとも１０個のつながったセグメントからなる空間充填曲線(以後、ＳＦＣ)として成形されているものであって、前記ＳＦＣのそれぞれのセグメントは、動作自由空間波長の１０分の１よりも短く、かつ、隣接するつながったセグメントが他の直線セグメントを画成しないように表面に配置されており、前記セグメントはどれも、所望に応じて曲線の先端を省き、互いに交わることもなく、また、隣接するセグメントの対がなすコーナーが所望に応じて丸められているか、または、円滑になっていることを特徴とする電磁波伝送線。
【請求項２】
構成部品のうちの少なくとも一つがフラクタル曲線として成形されているものであって、前記フラクタル曲線は、反復関数系(ＩＦＳ)、マルチ縮小複写機(ＭＲＣＭ)またはネットワークド・マルチ縮小複写機(ＮＭＲＣＭ)にならって形成されており、前記ＩＦＳ、ＭＲＣＭ及びＮＭＲＣＭアルゴリズムが、有限線形変換の特有な集合からなり、前記変換が、回転、翻訳、倍率、スキュー、鏡映の中から選ばれたものであり、前記変換の集合は、最初に、少なくとも一つの曲線からなる点Ａ０の集合に適用して点Ａ１の集合を得、次に、得られた集合Ａ１に適用して集合Ａ２を得、これを動作波長の１０分の１よりも大きい物理長さのフラクタル曲線を得るのに必要な段数だけ集合Ａｎが得られるまで繰り返すことを特徴とする請求項１に記載の電磁波伝送線。
【請求項３】
ＳＦＣがフラクタル空間充填曲線(ＦＳＦＣ)であって、前記ＦＳＦＣは１よりも大きいボックス・カウンティング寸法を有する曲線であり、前記ボックス・カウンティング寸法が、対数の対数グラフの直線部の勾配としてＦＳＦＣに渡り普通のように算出され、前記直線部が、対数の対数グラフの水平軸上の１オクターブの倍率以上の直線セグメントを意味することよりなる請求項１に記載の電磁波伝送線。
【請求項４】
構成部品のうちの少なくとも一つがヒルバート曲線、ペアノ曲線、ＳＺ曲線、ＺＺ曲線、ドラゴン曲線、ヒルバートＺＺ曲線、コッホ曲線、ミンコウスキー曲線またはシェピンスキー曲線として成形されてなる請求項１に記載の電磁波伝送線。
【請求項５】
構成部品のうちの少なくとも一つがヒルバート曲線、ペアノ曲線、ＳＺ曲線、ＺＺ曲線、ドラゴン曲線、ヒルバートＺＺ曲線、コッホ曲線、ミンコウスキー曲線またはシェピンスキー曲線として成形されてなる請求項３に記載の電磁波伝送線。
【請求項６】
構成部品のうちの少なくとも一つが、ＳＦＣ曲線、フラクタル曲線、ＦＳＦＣ、ヒルバート曲線、ペアノ曲線、ＳＺ曲線、ＺＺ曲線、ドラゴン曲線、コッホ曲線、ヒルバートＺＺ曲線、ミンコウスキー曲線またはシェピンスキー曲線として成形されてなる低速波伝送線であることを特徴とする請求項１に記載の伝送線。
【請求項７】
ＳＦＣ曲線、フラクタル曲線、ＦＳＦＣ、ヒルバート曲線、ペアノ曲線、ＳＺ曲線、ＺＺ曲線、ドラゴン曲線、コッホ曲線、ヒルバートＺＺ曲線、ミンコウスキー曲線、または、シェピンスキー曲線の周期反復で形成した低速波伝送線であることを特徴とする請求項１に記載の伝送線。
【請求項８】
(ａ)  金属または超伝導接地面と、
(ｂ)  前記接地面に平行な金属または超伝導ストリップと、
(ｃ)  前記ストリップと前記接地面との間に所望に応じて設けられる誘電材製スラブの集合とからなり、
前記ストリップの少なくとも一部分が、ＳＦＣ曲線、フラクタル曲線、ＦＳＦＣ、ヒルバート曲線、ペアノ曲線、ＳＺ曲線、ＺＺ曲線、ドラゴン曲線、コッホ曲線、ヒルバートＺＺ曲線、ミンコウスキー曲線、または、シェピンスキー曲線として成形されてなるマイクロストリップ伝送線であることを特徴とする請求項１に記載の伝送線。
【請求項９】
(ａ)  二本の平行な金属または超伝導接地面と、
(ｂ)  前記接地面の間に設けた金属または超伝導ストリップと、
(ｃ)   前記ストリップと前記接地面との間に所望に応じて設けられる誘電材製スラブの集合とからなり、
前記ストリップの少なくとも一部分が、ＳＦＣ曲線、フラクタル曲線、ＦＳＦＣ、ヒルバート曲線、ペアノ曲線、ＳＺ曲線、ＺＺ曲線、ドラゴン曲線、コッホ曲線、ヒルバートＺＺ曲線、ミンコウスキー曲線、または、シェピンスキー曲線として成形されてなるストリップライン伝送線であることを特徴とする請求項１に記載の伝送線。
【請求項１０】
(ａ)  同一平面に臨む、二本の平行な金属または超伝導接地ストリップと、
(ｂ)  前記接地ストリップと同一平面に臨み、前記接地ストリップの間に配置された金属または超伝導中央ストリップと、
(ｃ)   前記接地ストリップと前記中央ストリップとを支える、所望に応じて設けられる誘電材製スラブの集合とからなり、
前記中央ストリップの少なくとも一部分が、ＳＦＣ曲線、フラクタル曲線、ＦＳＦＣ、ヒルバート曲線、ペアノ曲線、ＳＺ曲線、ＺＺ曲線、ドラゴン曲線、コッホ曲線、ヒルバートＺＺ曲線、ミンコウスキー曲線、または、シェピンスキー曲線として成形されてなるコプラナー伝送線であることを特徴とする請求項１に記載の伝送線。
【請求項１１】
(ａ)  金属ないし超伝導シールドと、
(ｂ)  前記シールド内に設けた中央金属ないし超伝導ストリップないしワイヤと、
(ｃ)   前記シールド内に所望に応じて設けられる誘電材とからなり、
前記中央ストリップないしワイヤの少なくとも一部分が、ＳＦＣ曲線、フラクタル曲線、ＦＳＦＣ、ヒルバート曲線、ペアノ曲線、ＳＺ曲線、ＺＺ曲線、ドラゴン曲線、コッホ曲線、ヒルバートＺＺ曲線、ミンコウスキー曲線、または、シェピンスキー曲線として成形されてなる同軸伝送線であることを特徴とする請求項１に記載の伝送線。
【請求項１２】
(ａ)  二本の平行な金属ないし超伝導ストリップ、ワイヤ、または、板と、
(ｂ)   前記ストリップ、ワイヤまたは板の間に所望に応じて配置する誘電材とからなり、
前記平行ストリップ、ワイヤまたは板の少なくとも一部分が、ＳＦＣ曲線、フラクタル曲線、ＦＳＦＣ、ヒルバート曲線、ペアノ曲線、ＳＺ曲線、ＺＺ曲線、ドラゴン曲線、コッホ曲線、ヒルバートＺＺ曲線、ミンコウスキー曲線、または、シェピンスキー曲線として成形されてなる平行板型伝送線であることを特徴とする請求項１に記載の伝送線。
【請求項１３】
(ａ)  誘電材製スラブと、
(ｂ)  前記スラブにエッチングで形成され、前記スラブよりも誘電透過率(dielectric permitivity)の大きい誘電体ストリップとからなり、
前記ストリップの少なくとも一部分が、ＳＦＣ曲線、フラクタル曲線、ＦＳＦＣ、ヒルバート曲線、ペアノ曲線、ＳＺ曲線、ドラゴン曲線、コッホ曲線、ヒルバートＺＺ曲線、ミンコウスキー曲線、または、シェピンスキー曲線として成形されてなる誘電体導波管。
【請求項１４】
同一面に臨む二本の金属ないし超伝導ストリップからなり、前記ストリップが、ＳＦＣ曲線、フラクタル曲線、ＦＳＦＣ、ヒルバート曲線、ペアノ曲線、ＳＺ曲線、ＺＺ曲線、ドラゴン曲線、コッホ曲線、ヒルバートＺＺ曲線、ミンコウスキー曲線、または、シェピンスキー曲線として成形されたスロットないしギャップにより区画されてなるスロットライン伝送線であることを特徴とする請求項１に記載の伝送線。
【請求項１５】
ＳＦＣ曲線、フラクタル曲線、ＦＳＦＣ、ヒルバート曲線、ペアノ曲線、ＳＺ曲線、ＺＺ曲線、ドラゴン曲線、コッホ曲線、ヒルバートＺＺ曲線、ミンコウスキー曲線、または、シェピンスキー曲線として成形された伝送線を含んでいる分布コンデンサ。
【請求項１６】
前記伝送線がその一端に開回路を有しており、前記伝送線の電気長が動作案内波長の４分の１よりも小さいことを特徴とする請求項１５に記載の分布コンデンサ。
【請求項１７】
前記伝送線がその一端に短絡回路を有しており、前記伝送線の電気長が、動作案内波長の４分の１の奇数よりも大きいことを特徴とする請求項１５に記載の分布コンデンサ。
【請求項１８】
二つのコプラナー金属ないし超伝導板からなり、該板の間の境界の少なくとも一部が、ＳＦＣ曲線、ＦＳＦＣ、フラクタル曲線、ヒルバート曲線、ペアノ曲線、ＳＺ曲線、ＺＺ曲線、ドラゴン曲線、ヒルバートＺＺ曲線、コッホ曲線、ミンコウスキー曲線、または、シェピンスキー曲線として成形されたギャップであることよりなるコンデンサ。
【請求項１９】
ＳＦＣ曲線、フラクタル曲線、ＦＳＦＣ、ヒルバート曲線、ペアノ曲線、ＳＺ曲線、ＺＺ曲線、ドラゴン曲線、コッホ曲線、ヒルバートＺＺ曲線、ミンコウスキー曲線、または、シェピンスキー曲線として成形された伝送線を含んでいる分布インダクター。
【請求項２０】
前記伝送線がその一端に短絡回路を有しており、また、その伝送線の電気長が動作案内波長の４分の１よりも小さいことを特徴とする請求項１９に記載の分布インダクター。
【請求項２１】
前記伝送線がその一端に開回路を有しており、また、その伝送線の電気長が動作案内波長の４分の１の奇数よりも大きいことを特徴とする請求項１９に記載の分布インダクター。
【請求項２２】
ＳＦＣ曲線、ＦＳＦＣ、フラクタル曲線、ヒルバート曲線、ペアノ曲線、ＳＺ曲線、ＺＺ曲線、ドラゴン曲線、ヒルバートＺＺ曲線、コッホ曲線、ミンコウスキー曲線、または、シェルピンスキー曲線として成形された金属ないし超伝導ストリップからなり、該ストリップは、マイクロストリップ、ストリップライン、コプラナー伝送線、または、ＳＦＣコンデンサの特有ストリップからなる平面に設けられてなる分布インダクター。
【請求項２３】
ＳＦＣ曲線、フラクタル曲線、ＦＳＦＣ、ヒルバート曲線、ペアノ曲線、ＳＺ曲線、ＺＺ曲線、ドラゴン曲線、ヒルバートＺＺ曲線、コッホ曲線、ミンコウスキー曲線、または、シェルピンスキー曲線として成形された伝送線を含んでいる分布電磁波共振器。
【請求項２４】
その端部が短絡されているか、開放されているか、または、リアクタンス負荷に接続されてなり、接続部が前記伝送線に沿う一カ所に臨んでいることよりなる単ポート型分布電磁波共振器であることを特徴とする請求項２３に記載の共振器。
【請求項２５】
伝送線が、その長さ方向に沿って一対の箇所にて入出力ポートと接続されていることよりなる２ポート型分布電磁波共振器であることを特徴とする請求項２３に記載の共振器。
【請求項２６】
前記共振器が、その共振器の第１共振周波数よりも低い周波数で動作することよりなるリアクタンス素子の一部であることを特徴とする請求項２３に記載の共振器。
【請求項２７】
電磁波フィルタの一部であることを特徴とする請求項２３に記載の電磁波共振器。
【請求項２８】
前記リアクタンス素子が電磁波フィルタの一部であることを特徴とする請求項２６に記載の電磁波共振器。
【請求項２９】
伝送線と、伝送線として実現した少なくとも一つのスタブとからなり、前記伝送線がＳＦＣ曲線、フラクタル曲線、ＦＳＦＣ、ヒルバート曲線、ペアノ曲線、ＳＺ曲線、ＺＺ曲線、ドラゴン曲線、コッホ曲線、ヒルバートＺＺ曲線、ミンコウスキー曲線、または、シェルピンスキー曲線として成形され、前記スタブが前記伝送線の一カ所で並列接続されてなるマイクロ波フィルター。
【請求項３０】
マイクロ波フィルターの一部であることを特徴とする請求項１５に記載のコンデンサ。
【請求項３１】
マイクロ波フィルターの一部であることを特徴とする請求項２０に記載のインダクター。
【請求項３２】
そのペリメーターの少なくとも一部が、ＳＦＣ曲線、フラクタル曲線、ＦＳＦＣ、ヒルバート曲線、ペアノ曲線、ＳＺ曲線、ＺＺ曲線、ドラゴン曲線、コッホ曲線、ヒルバートＺＺ曲線、ミンコウスキー曲線またはシェピンスキー曲線として成形されてなるパッチ型マイクロストリップ共振器。
【請求項３３】
内側及び外側ペリメーターを有し、前記両ペリメーターの少なくとも一部分が、ＳＦＣ曲線、フラクタル曲線、ＦＳＦＣ、ヒルバート曲線、ペアノ曲線、ＳＺ曲線、ＺＺ曲線、ドラゴン曲線、コッホ曲線、ヒルバートＺＺ曲線、ミンコウスキー曲線またはシェピンスキー曲線として成形されてなることを特徴とする請求項３２に記載のパッチ型マイクロストリップ共振器。
【請求項３４】
ＳＦＣ曲線、フラクタル曲線、ＦＳＦＣ曲線、ヒルバート曲線、ペアノ曲線、ＳＺ曲線、ＺＺ曲線、ドラゴン曲線、コッホ曲線、ヒルバートＺＺ曲線、ミンコウスキー曲線またはシェピンスキー曲線として成形されてなるスロットを有するパッチ型共振器。
【請求項３５】
前記パッチの少なくとも一部分を除去、スロット化、または、電磁的に変形して幾つかの縮重共振モードを結合してなるマルチモードパッチ型共振器であることを特徴とする請求項３２に記載の共振器。
【請求項３６】
金属ないし超伝導ストリップからなり、前記ストリップの少なくとも一部分が、ＳＦＣ曲線、フラクタル曲線、ＦＳＦＣ、ヒルバート曲線、ペアノ曲線、ＳＺ曲線、ＺＺ曲線、ドラゴン曲線、コッホ曲線、ヒルバートＺＺ曲線、ミンコウスキー曲線またはシェピンスキー曲線として成形されており、また、ループの少なくとも一部分を除去、スロット化、または、電磁的の変形して幾つかの縮重共振モードを結合してなるマルチモードループ型共振器。
【請求項３７】
金属ないし超伝導面にスロット形ループが設けられてなり、スロットの少なくとも一部が、ＳＦＣ曲線、フラクタル曲線、ＦＳＦＣ、ヒルバート曲線、ペアノ曲線、ＳＺ曲線、ＺＺ曲線、ドラゴン曲線、コッホ曲線、ヒルバートＺＺ曲線、ミンコウスキー曲線またはシェピンスキー曲線として成形されており、また、ループの少なくとも一部分を除去、スロット化、または、電磁的の変形して幾つかの縮重共振モードを結合してなるマルチモードループ型共振器。
【請求項３８】
少なくとも一つの誘電基板と、抵抗材からなるストリップとからなり、前記ストリップがＳＦＣ曲線、ＦＳＦＣ、またはフラクタル曲線として成形されてなる抵抗器。
【請求項３９】
前記ストリップがヒルバート曲線、ペアノ曲線、ＳＺ曲線、ＺＺ曲線、ドラゴン曲線、コッホ曲線、ヒルバートＺＺ曲線、ミンコウスキー曲線またはシェピンスキー曲線として成形されてなる請求項３８に記載の抵抗器。